(57)【要約】【課題】  元の地上デジタルテレビジョン信号と再送信される地上デジタルテレビジョン信号との間に周波数偏差が生じることを防止する。【解決手段】  供給された地上デジタルテレビジョン信号をＵＨＦ−ＭＩＤダウンコンバータ８が、周波数変換した変換テレビジョン信号を、共同受信システム４に供給する。  伝送された前記変換テレビジョン信号をＭＩＤ−ＵＨＦアップコンバータ１６が、元の地上デジタルテレビジョン信号に周波数変換して、再送信アンテナに供給する。ダウン及びアップコンバータ８、１６が周波数変換する際に使用する局部発振信号の発生用の共通基準信号を、基準信号発生器２２が、ダウンコンバータ８の出力側から供給し、アップコンバータ１６の入力側から供給するように設けられている。【選択図】        図１
2010183360.tif 000002
【特許請求の範囲】
【請求項１】
供給された地上デジタルテレビジョン信号を周波数変換した変換テレビジョン信号を、共同受信システムの伝送路に供給する受信変換手段と、
前記伝送路を介して伝送された前記変換テレビジョン信号を元の地上デジタルテレビジョン信号に周波数変換して、再送信アンテナに供給する変換再送信手段と、
前記受信変換手段及び前記変換再送信手段がそれぞれ周波数変換する際に使用する局部発振信号の発生用の共通基準信号を、前記受信変換手段の出力側から供給し、前記変換再送信手段の入力側から供給するように設けられた基準信号発生手段とを、
具備する再送信システム。
【請求項２】
供給された地上デジタルテレビジョン信号を局部発振信号に基づいて前記地上デジタルテレビジョン信号と異なる周波数の変換テレビジョン信号に周波数変換して、出力端子から伝送路に供給する受信変換用周波数変換手段と、
前記局部発振信号を内部基準信号に基づいて発生して前記受信変換用周波数変換手段に供給する受信変換用局部発振手段と、
前記出力端子から供給された基準信号に同期した前記内部基準信号を生成して前記受信変換用局部発振手段に供給する内部基準信号生成手段とを、
具備する再送信システム用受信変換装置。
【請求項３】
請求項２記載の再送信システム用受信変換装置において、前記内部基準信号生成手段は、検出手段が前記出力端子に前記基準信号が供給されていることを検出したとき、前記基準信号に前記内部基準信号の位相を一致させるように構成されている再送信システム用受信変換装置。
【請求項４】
伝送路に接続された入力端子から供給された、地上デジタルテレビジョン信号を周波数変換した変換テレビジョン信号を、元の地上デジタルテレビジョン信号に局部発振信号に基づいて周波数変換して、再送信アンテナに供給する変換送信用周波数変換手段と、
前記局部発振信号を内部基準信号に基づいて発生して前記変換送信用周波数変換手段に供給する変換送信用局部発振手段と、
前記入力端子から供給された基準信号に同期した前記内部基準信号を生成して前記変換送信用局部発振手段に供給する内部基準信号生成手段とを、
具備する再送信システム用変換送信装置。
【請求項５】
請求項４記載の再送信システム用変換送信装置において、前記内部基準信号生成手段は、検出手段が前記入力端子に前記基準信号が供給されていることを検出したとき、前記基準信号に前記内部基準信号の位相を一致させるように構成されている再送信システム用変換送信装置。
【発明の詳細な説明】
【技術分野】
【０００１】
本発明は、例えば難視聴の解消のために、良好に受信できる位置で受信したテレビジョン信号を難視聴地域に向けて再送信する再送信システムと、このシステムで使用する受信変換装置及び変換送信装置に関し、特に、受信変換装置及び変換送信装置の間の伝送に受信システムを使用するものに関する。
【背景技術】
【０００２】
従来、上記のような再送信システムとしては、例えば特許文献１に開示されているようなものがある。特許文献１の技術は、モバイル放送の再送信システムであるが、衛星送信機から、ギャップフィラー用のＴＤＭ信号の番組信号が変調されたＫｕバンドの衛星中継波が送信される。衛星受信アンテナが、この衛星中継波を受信し、中継出力部に供給する。中継出力部では、衛星中継波をベースバンドのＴＤＭ信号に復調し、ＣＡＴＶ伝送系で伝送される帯域内に割り当てられたチャンネルの搬送波の周波数で変調されたキャリア信号に変換して、ＣＡＴＶ系に出力する。ＣＡＴＶ伝送系を介してキャリア信号は、電波送信部に伝送され、電波送信部は、キャリア信号をベースバンドのＴＤＭ信号に復調し、衛星送信機からの放送電波と同じＣＤＭ変調されたＳバンドの電波を変換して、アンテナから送信する。
【先行技術文献】
【特許文献】
【０００３】
【特許文献１】特開２００６−８０９８５号公報
【発明の概要】
【発明が解決しようとする課題】
【０００４】
特許文献１の技術によれば、ＣＡＴＶ系を利用してキャリア信号を伝送しているので、伝送に伴う損失を軽減することができる。この技術を例えば地上デジタル放送用のギャップフィラーに適用する場合、地上デジタル放送信号を、ＣＡＴＶ伝送系で使用していない周波数帯またはＭＩＤチャンネルに変換してＣＡＴＶ伝送系で伝送し、電波送信部で例えば元の地上デジタル放送信号に周波数変換して、再送信することが考えられる。この場合、２度の周波数変換が行われるが、再送信された地上デジタル放送信号と元の地上デジタル放送信号との間に周波数偏差が生じ、良好に受信することができなくなる。
【０００５】
本発明は、元の地上デジタルテレビジョン信号と再送信される地上デジタルテレビジョン信号との間に周波数偏差が生じることを防止した再送信システムと、この再送信システムで使用する受信変換装置及び変換送信装置とを、提供することを目的とする。
【課題を解決するための手段】
【０００６】
本発明の再送信システムでは、受信変換手段が、これに供給された地上デジタルテレビジョン信号を周波数変換した変換テレビジョン信号を、共同受信システムの伝送路に供給する。この伝送路を介して伝送された前記変換テレビジョン信号を、変換再送信手段が、元の地上デジタルテレビジョン信号に周波数変換して、再送信アンテナに供給する。受信変換手段及び前記変換再送信手段がそれぞれ周波数変換する際に使用する局部発振信号の発生用の共通基準信号を、基準信号発生手段が、受信変換手段の出力側から供給し、かつ、前記変換再送信手段の入力側から供給するように設けられている。
【０００７】
このように構成された再送信システムでは、受信変換手段における周波数変換に使用される局部発振信号も、変換再送信手段における周波数変換に使用される局部発振信号も、共通の基準信号に基づいて生成されている。従って、再送信される地上デジタルテレビジョン信号と元の地上デジタルテレビジョン信号との間には、周波数偏差が生じずに、良好に再送信された地上デジタルテレビジョン信号を、受信機に受信することができる。
【０００８】
本発明の受信変換装置では、受信変換用周波数変換手段が、これに供給された地上デジタルテレビジョン信号を局部発振信号に基づいて変換テレビジョン信号に周波数変換して、出力端子から伝送路に供給する。受信変換用局部発振手段が、前記局部発振信号を内部基準信号に基づいて発生して、前記受信変換用周波数変換手段に供給する。出力端子から供給された基準信号に同期して、内部基準信号生成手段が、前記内部基準信号を生成して前記受信変換用局部発振手段に供給する。
【０００９】
このように構成された受信変換装置では、上述したように再送信地上デジタルテレビジョン信号が元の地上デジタルテレビジョン信号と周波数偏差を生じないようにする変換テレビジョン信号を出力端子から送信することができる。しかも、そのために使用する基準信号は、出力端子から供給されるので、受信変換装置としては、本来局部発振信号を発振するために設けている内部基準信号生成手段を基準信号に同期させるように構成するだけでよい。
【００１０】
前記内部基準信号生成手段は、検出手段が前記出力端子に前記基準信号が供給されていることを検出したとき、前記基準信号に前記内部基準信号の位相を一致させるように構成したものとすることができる。このように構成すると、基準信号が供給されていないときでも、内部基準信号生成手段が生成している内部基準信号によって変換テレビジョン信号を出力することができ、基準信号が供給されたときには、この基準信号と位相が一致した内部基準信号を生成することができる。
【００１１】
本発明による再送信システム用変換送信装置では、変換送信用周波数変換手段が伝送路に接続された入力端子から供給された変換テレビジョン信号を周波数変換する。変換テレビジョン信号は地上デジタルテレビジョン信号を異なる周波数に周波数変換したものである。変換送信用周波数変換手段での周波数変換は、変換テレビジョン信号を元の地上デジタルテレビジョン信号に変換するもので、これは再送信アンテナに供給される。前記局部発振信号を変換送信用局部発振手段が、内部基準信号に基づいて発生して前記変換送信用周波数変換手段に供給する。前記入力端子から供給された基準信号に同期した前記内部基準信号を、内部基準信号生成手段が生成して、前記変換送信用局部発振手段に供給する。
【００１２】
このように構成すると、再送信地上デジタルテレビジョン信号が元の地上デジタルテレビジョン信号と周波数偏差を生じないようにすることができる。しかも、そのために使用する基準信号は、入力端子から供給されるので、変換送信装置としては、本来局部発振信号を発振するために設けている内部基準信号生成手段を基準信号に同期させるように構成するだけでよい。
【００１３】
前記内部基準信号生成手段は、検出手段が前記入力端子に前記基準信号が供給されていることを検出したとき、前記基準信号に前記内部基準信号の位相を一致させるように構成することができる。このように構成すると、基準信号が供給されていないときでも、内部基準信号生成手段が生成している内部基準信号によって元の地上デジタルテレビジョン信号を出力することができ、基準信号が供給されたときには、この基準信号と位相が一致した内部基準信号を生成することができる。
【発明の効果】
【００１４】
以上のように、本発明によれば、元の地上デジタルテレビジョン信号と、再送信された地上デジタルテレビジョン信号との間に、周波数偏差が生じることがなく、再送信された地上デジタルテレビジョン信号を良好に受信することができる。
【図面の簡単な説明】
【００１５】
【図１】本発明の一実施形態の再送信システムのブロック図である。
【図２】図１の再送信システムで使用する受信変換装置のブロック図である。
【図３】図１の再送信システムで使用する変換送信装置のブロック図である。
【発明を実施するための形態】
【００１６】
本発明の一実施形態の再送信システムは、図１に示すように、ヘッドアンプ２と、伝送路、例えば共同受信システム４とを有している。この共同受信システム４の端末のうち難視聴地域に近い領域にあるものに、変換送信装置６が設置されている。図１に示すように異なる難視聴地域それぞれ用に複数の変換送信装置６が設けられる場合もあるし、１台の変換送信装置６だけが設けられる場合もある。
【００１７】
ヘッドアンプ２は、受信変換手段、例えば受信変換装置でもあるＵＨＦ−ＭＩＤダウンコンバータ（以下、ダウンコンバータと称する）８を備えている。ダウンコンバータ８には、入力端子１０に接続された受信アンテナ（図示せず）によって受信した少なくとも１チャンネル、例えば１チャンネルのワンセグの地上デジタルテレビジョン放送信号が供給される。ダウンコンバータ８は、この地上デジタルテレビジョン信号を、例えばＭＩＤ帯域の変換テレビジョン信号に変換し、ダウンコンバータ８の出力端子１１からヘッドアンプ２の出力端子１２を経て共同受信システム４に供給する。共同受信システム４を伝送された変換テレビジョン信号は、入力端子１４を介して変換送信装置６に供給される。変換送信装置６は、変換再送信手段、例えばＭＩＤ−ＵＨＦアップコンバータ（以下、アップコンバータと称する）１６を有し、これによって変換テレビジョン信号が元の地上デジタルテレビジョン信号に周波数変換され、アップコンバータ１６の出力端子１７から電力増幅器１８に供給され、ここで電力増幅され、出力端子２０から図示していない送信アンテナに供給され、この送信アンテナから難視聴地域に向けて送信される。なお、共同受信システム４では、上述した少なくとも１波の地上デジタルテレビジョン信号以外にも通常のＣＡＴＶ信号が、共同受信システム４の各端末に伝送されている。
【００１８】
ダウンコンバータ８及びアップコンバータ１６では、周波数変換が行われている。そのために局部発振信号が必要であるが、この局部発振信号を生成するための基準として基準信号発振手段、例えば基準信号発生器２２からの基準信号が使用されている。この基準信号は、例えば変換テレビジョン信号とは異なる周波数のＭＩＤ帯に属する周波数、例えばＭＩＤ帯の上端または下端付近の周波数のものである。この基準信号は、２分配器２４によって２分配され、その一方の分配出力である基準信号が１分岐器２６の分岐端子からダウンコンバータ８の出力端子１１側に供給されている。なお、２８はダミー抵抗器である。また、２分配器２４の他方の分配出力である基準信号は、出力端子１２、共同受信システム４、入力端子１４を介してアップコンバータ１６の入力側に供給されている。このように基準信号は、ダウンコンバータ８及びアップコンバータ１６に対して同一のものが共通して使用されている。
【００１９】
ダウンコンバータ８では、図２に示すように、入力端子１０に供給された少なくとも１波の地上デジタルテレビジョン信号は、ゲインコントロール器３０においてレベル調整器３２の手動調整に従ってゲインコントロールされ、バンドパスフィルタ３４に供給される。このバンドパスフィルタ３４は、少なくとも１波の地上デジタルテレビジョン信号のみを通過させるように通過帯域が選択されている。バンドパスフィルタ３４の出力は、増幅段３６で増幅され、ＡＧＣ回路３８で後述するＡＧＣ信号に従って自動ゲインコントロールされた後、増幅段４０で再度増幅される。
【００２０】
増幅段４０の出力信号は、受信変換用周波数変換手段、例えばダブルコンバージョン周波数変換装置４２に供給される。このダブルコンバージョン周波数変換装置４２は、第１周波数変換器４４を有している。第１周波数変換器４４は、第１局部発振手段、例えば第１局部発振器４６からの第１局部発振信号に従って、増幅段４０の出力である少なくとも１波の地上デジタルテレビジョン信号を中間周波信号に周波数変換する。第１局部発振器４６は、ＶＣＯ４８とＰＬＬ５０とからなる。
【００２１】
中間周波信号は、増幅段５２によって増幅され、中間周波信号のみを通過させるように通過帯域が選択されたＳＡＷ型のバンドパスフィルタ５４を通過し、増幅段５６によって再度増幅された後、バンドパスフィルタ５４と同じ通過帯域を持つＳＡＷ型のバンドパスフィルタ５８を通過して、増幅段６０によって増幅される。
【００２２】
増幅段６０の出力である中間周波信号は、第２周波数変換器６２に供給され、第２局部発振手段、例えば第２局部発振器６４からの第２局部発振信号に従ってＭＩＤ帯の変換テレビジョン信号に周波数変換される。第２局部発振回路６４もＶＣＯ６６、ＰＬＬ６８からなる。
【００２３】
第２周波数変換器６２の出力信号である変換テレビジョン信号は、増幅段６９で増幅された後、１分岐器７０を介してゲインコントロール回路７２に供給され、レベル調整器７４で調整された後述するスケルチ信号に従ってゲインコントロール回路７２でゲインコントロールされ、スケルチ信号でスケルチ制御される増幅段７６で増幅され、変換テレビジョン信号のみを通過させるように通過帯域を選択されたバンドパスフィルタ７８を介して出力端子１１に供給される。
【００２４】
１分岐器７０の分岐出力は、増幅段８０によって増幅され、検波回路８２によってレベル検波され、ＡＧＣ制御回路８４に供給される。ＡＧＣ制御回路は、検波回路８２に出力信号とＡＧＣ制御信号とを比較してＡＧＣ信号を生成する。このＡＧＣ信号は、増幅段８６によって増幅され、ＡＧＣ回路３８に供給される。またＡＧＣ信号は、スケルチ回路８８によってスケルチ用基準信号と比較され、その比較結果がスケルチ信号としてレベル調整器７４及び増幅段７６に供給される。
【００２５】
第１局部発振器４６のＶＣＯ４８が発生する第１局部発振信号の周波数は、入力チャンネル設定器９０が設定した中間周波信号の周波数と少なくとも１波の地上デジタルテレビジョン信号の周波数とに基づいて制御手段、例えばＣＰＵ９２が算出し、その周波数とするために必要な制御信号をＰＬＬ５０に設定している。同様に第２局部発振器６４のＶＣＯ６６が発生する第２局部発振信号の周波数は、出力チャンネル設定器９４が設定した変換テレビジョン信号の周波数と中間周波信号の周波数とに基づいてＣＰＵ９２が算出し、その周波数とするために必要な制御信号をＰＬＬ６８に設定している。
【００２６】
ＰＬＬ５０、６８が、ＣＰＵ９２からの制御信号に従ってＶＣＯ４８に第１局部発振信号をＶＣＯ６６に第２局部発振信号を発振させるためには、内部基準信号が必要である。この内部基準信号は、内部基準信号発生手段、例えば内部基準信号発生回路９６が発生している。
【００２７】
内部基準信号発生回路９６は、水晶発振器９８を有している。この水晶発振器９８は、ＰＬＬ１００によって制御された状態で内部基準信号を発生することもでき、かつＰＬＬ１００による制御されていない状態でも内部基準信号を発生することができる。ＰＬＬ１００は、出力端子１１に基準信号発生器２２から基準信号が供給されているとき、この基準信号のみを通過させるように通過帯域が選択されたバンドパスフィルタ１０２を介して増幅段１０４に供給されて増幅された基準信号に、水晶発振器９８からの内部基準信号の周波数及び位相が一致するように水晶発振器９８を制御する。そのための制御信号は、ＰＬＬ１００と水晶発振器９８との間に配置されたスイッチ１０６が閉じられたときに水晶発振器９８に供給される。このスイッチ１０６は、増幅段１０４に出力が生じていることを検波器１０８が検出したときに、検波器１０８の出力によって閉じられる。従って、出力端子１１に基準信号が供給されているとき、内部基準信号発生回路９６が出力する内部基準信号は基準信号と一致したものとなり、基準信号が供給されていないとき、内部基準信号は水晶発振器９８が独自に発生したものとなる。
【００２８】
図３に示すように、アップコンバータ１６では、入力端子１４に供給された変換テレビジョン信号は、１分岐器１１２を介してゲインコントロール器１１４に供給され、レベル調整器１１６の手動調整に従ってゲインコントロールされ、バンドパスフィルタ１１８に供給される。このバンドパスフィルタ１１８は、変換テレビジョン信号のみを通過させるように通過帯域が選択されている。バンドパスフィルタ１１８の出力は、増幅段１２０で増幅され、ＡＧＣ回路１２２で後述するＡＧＣ信号に従って自動ゲインコントロールされた後、増幅段１２４で再度増幅される。
【００２９】
増幅段１２４の出力信号は、変換送信用周波数変換手段、例えばダブルコンバージョン周波数変換装置１２６に供給される。このダブルコンバージョン周波数変換装置１２６は、第３周波数変換器１２８を有している。第３周波数変換器１２８は、第３局部発振手段、例えば第３局部発振器１３０からの第１局部発振信号に従って、増幅段１２４の出力である変換テレビジョン信号を中間周波信号に周波数変換する。第３局部発振器１３０は、ＶＣＯ１３２とＰＬＬ１３４とからなる。
【００３０】
中間周波信号は、増幅段１３６によって増幅され、中間周波信号のみを通過させるように通過帯域が選択されたＳＡＷ型のバンドパスフィルタ１３８を通過し、増幅段１４０によって再度増幅された後、バンドパスフィルタ１３８と同じ通過帯域を持つＳＡＷ型のバンドパスフィルタ１４２を通過して、増幅段１４３によって増幅される。
【００３１】
増幅段１４３の出力である中間周波信号は、第４周波数変換器１４４に供給され、第４局部発振手段、例えば第４局部発振器１４６からの第４局部発振信号に従って元の少なくとも１波の地上デジタルテレビジョン信号に周波数変換される。第４局部発振器１４６もＶＣＯ１４８、ＰＬＬ１５０からなる。
【００３２】
第４周波数変換器１４４の出力信号である元の少なくとも１波の地上デジタルテレビジョン信号は、増幅段１５２で増幅された後、１分岐器１５４を介してゲインコントロール回路１５６に供給され、レベル調整器１５８で調整された後述するスケルチ信号に従ってゲインコントロール回路１５６でゲインコントロールされ、スケルチ信号でスケルチ制御される増幅段１６０で増幅され、少なくとも１波の地上デジタルテレビジョン信号のみを通過させるように通過帯域を選択されたバンドパスフィルタ１６２を介して出力端子１７に供給される。
【００３３】
１分岐器１５４の分岐出力は、増幅段１６４によって増幅され、検波回路１６６によってレベル検波され、ＡＧＣ制御回路１７０に供給される。ＡＧＣ制御回路１７０は、検波回路１６６の出力信号とＡＧＣ基準信号とを比較してＡＧＣ信号を生成する。このＡＧＣ信号は、増幅段１７２によって増幅され、ＡＧＣ回路１２２に供給される。またＡＧＣ信号は、スケルチ回路１７４によってスケルチ用基準信号と比較され、その比較結果がスケルチ信号としてレベル調整器１５８及び増幅段１６０に供給される。
【００３４】
第３局部発振器１３０のＶＣＯ１３２が発生する第３局部発振信号の周波数は、入力チャンネル設定器１７６が設定した中間周波信号の周波数と変換テレビジョン信号の周波数とに基づいて制御手段、例えばＣＰＵ１７８が算出し、その周波数とするために必要な制御信号をＰＬＬ１３４に設定している。同様に第４局部発振器１４６のＶＣＯ１４８が発生する第４局部発振信号の周波数は、出力チャンネル設定器１８０が設定した元の少なくとも１波の地上デジタルテレビジョン信号の周波数と中間周波信号の周波数とに基づいてＣＰＵ１７８が算出し、その周波数とするために必要な制御信号をＰＬＬ１５０に設定している。
【００３５】
ＰＬＬ１３４、１５０が、ＣＰＵ１７８からの制御信号に従ってＶＣＯ１３２に第３局部発振信号をＶＣＯ１４８に第４局部発振信号を発振させるためには、内部基準信号が必要である。この内部基準信号は、内部基準信号発生手段、例えば内部基準信号発生回路１８２が発生している。
【００３６】
内部基準信号発生回路１８２は、水晶発振器１８４を有している。この水晶発振器１８４は、ＰＬＬ１８６によって制御された状態で内部基準信号を発生することもでき、かつＰＬＬ１８６による制御されていない状態でも内部基準信号を発生することができる。ＰＬＬ１８６は、入力端子１４に共同受信システム４を介して基準信号発生器２２から基準信号が供給されているとき、１分岐器１１２を介して供給され、基準信号のみを通過させるように通過帯域が選択されたバンドパスフィルタ１８８を介して増幅段１９０に供給されて増幅された基準信号に、水晶発振器１８４からの内部基準信号の周波数及び位相が一致するように水晶発振器１８４を制御する。そのための制御信号は、ＰＬＬ１８６と水晶発振器１８４との間に配置されたスイッチ１９２が閉じられたときに水晶発振器１８４に供給される。このスイッチ１９２は、増幅段１９０に出力が生じていることを検波器１９４が検出したときに、検波器１９４の出力によって閉じられる。従って、入力端子１４に基準信号が供給されているとき、内部基準信号発生回路１８２が出力する内部基準信号は基準信号と一致したものとなり、基準信号が供給されていないとき、内部基準信号は水晶発振器１８４が独自に発生したものとなる。
【００３７】
このように構成された再送信システムでは、基準信号発生回路２２が基準信号を発生しているとき、ダウンコンバータ８とアップコンバータ１６の内部基準信号発生回路９６、１８２がそれぞれ発生する内部基準信号は、周波数及び位相が一致したものである。この内部基準信号に従って、第１乃至第４の局部発振信号が生成され、これらを用いてダウンコンバート及びアップコンバートが行われるので、元の少なくとも１波の地上デジタルテレビジョン信号と、ダウン及びアップコンバータが行われた後の少なくとも１波の地上デジタルテレビジョン信号とは周波数が完全に一致している。従って、出力端子２０から送信された少なくとも１波の地上デジタルテレビジョン信号は良好に受信機によって受信される。また、変換送信装置６を図１に示すように複数配置している場合でも、全ての変換送信装置６で同じ基準信号を用いて局部発振信号を生成しているので、再送信された信号間での偏差に伴う受信不能の発生を回避することができる。
【００３８】
上記の実施形態では、基準信号発生器２２はヘッドアンプ２内に設けたが、その必要はなく、例えば共同受信システム４の入力側、出力側またはその中途に設けることもできる。上記の実施形態では、ダウンコンバータ８及びアップコンバータ１６は、共にダブルコンバージョン方式のものを使用したが、シングルコンバージョン方式のものを使用することもできる。
【００３９】
上記の実施形態では、基準信号発生器２２の基準信号の周波数を固定とし、かつ元の地上デジタルテレビジョン信号のチャンネルも固定としたが、これらを可変とすることができる。この場合、ダウンコンバータ８では、元の地上デジタルテレビジョン信号のチャンネルの変更に対応するため、バンドパスフィルタ３４、７８の通過帯域を可変することができる可変バンドパスフィルタとする。また、基準信号発生器２２の基準信号の周波数の変更に対応するためにバンドパスフィルタ１０２も通過帯域を可変できる可変バンドパスフィルタとする。さらに、ＣＰＵ９２には、基準信号の周波数の変更に対応して各ＰＬＬ５０、６８、１００の制御を変更するために、基準信号の周波数を設定する基準信号設定器を設ける。同様に、アップコンバータ１６においても、元の地上デジタルテレビジョン信号のチャンネルの変更に対応するため、バンドパスフィルタ１１８、１６２を通過帯域を可変することができる可変バンドパスフィルタとし、基準信号発生器２２の基準信号の周波数の変更に対応するためにバンドパスフィルタ１８８も通過帯域を可変できる可変バンドパスフィルタとする。さらに、ＣＰＵ１７８には、基準信号の周波数の変更に対応して各ＰＬＬ１３０、１５０、１８６の制御を変更するために、基準信号の周波数を設定する基準信号設定器を設ける。
【符号の説明】
【００４０】
４  共同受信システム
８  ＵＨＦ−ＭＩＤダウンコンバータ（受信変換手段）
１６  ＭＩＤ−ＵＨＦアップコンバータ（変換再送信手段）
２２  基準信号発生器
【図１】
2010183360.tif 000003
【図２】
2010183360.tif 000004
【図３】
2010183360.tif 000005